(57)【特許請求の範囲】
【請求項１】
接続確立処理を行った後に所定の入金処理に関わる情報の送受信を行う金銭処理装置とＰＯＳレジスタ装置とを備え、
前記金銭処理装置は、ＰＯＳレジスタ装置から入金許可指令が与えられた後に金銭が投入された場合にこれを鑑別して正規の金銭を保留庫に一旦格納し、かつ前記保留庫に格納した金銭の額に応じた入金額情報を前記ＰＯＳレジスタ装置に返信して入金保留状態となり、その後、前記ＰＯＳレジスタ装置から入金終了指令が与えられた場合に入金保留状態を解除して前記保留庫に格納した金銭を収納庫に収納する入金処理を実施し、
前記ＰＯＳレジスタ装置は、入金指示が操作入力された場合に金銭処理装置に入金許可指令を与えて応答待機状態となり、その後、前記金銭処理装置から入金額情報が与えられた場合に前記金銭処理装置に対して入金終了指令を送信するようにした金銭処理システムにおいて、
ＰＯＳレジスタ装置は、接続確立処理において金銭処理装置が入金保留状態にあるか否かを判断し、入金保留状態にあった場合、前記金銭処理装置に対して入金返却指令を送信し、
金銭処理装置は、ＰＯＳレジスタ装置から入金返却指令が与えられた場合、保留庫に格納してある金銭を外部に払い出して入金保留状態を解除する
ことを特徴とする金銭処理システム。
【発明の詳細な説明】
【技術分野】
【０００１】
本発明は、接続確立処理を行った後に所定の入金処理に関わる情報の送受信を行う金銭処理装置とＰＯＳ（Ｐｏｉｎｔ Ｏｆ Ｓａｌｅｓ）レジスタ装置とを備えた金銭処理システムに関するものである。
【背景技術】
【０００２】
昨今のスーパーマーケットやコンビニエンスストア等の店舗には、金銭処理システムが導入されている。金銭処理システムは、上位装置となるＰＯＳレジスタ装置と、自動釣銭機として用いられる金銭処理装置とを備え、互いの間において以下に記載するような金銭の入金処理を行うようにしている。
【０００３】
例えば、ＰＯＳレジスタ装置においては、商品金額の入力が終了すると、その合計金額が演算され、該演算された合計金額に対応する入金許可指令が金銭処理装置に送信されて応答待機状態となる。入金許可指令が与えられた金銭処理装置では、硬貨もしくは紙幣等の金銭が投入された場合にこれが鑑別され、正規の金銭が保留庫に一旦格納される。さらに金銭処理装置では、保留庫に格納した金銭の額に応じた入金額情報がＰＯＳレジスタ装置に返信され、入金保留状態となる。入金額情報が与えられたＰＯＳレジスタ装置では、金銭処理装置に対して入金終了指令が送信される。ＰＯＳレジスタ装置から入金終了指令が与えられた金銭処理装置では、入金保留状態が解除され、保留庫に格納した金銭が収納庫に収納されることになる。
【０００４】
一方、ＰＯＳレジスタ装置では、商品の合計金額と金銭処理装置から与えられた入金額情報に対応した金額との差額が演算され、その演算結果に応じて金銭処理装置に出金指令が送信される。出金指令が与えられた金銭処理装置では、出金指令に応じた金銭が収納庫から釣銭として払い出す出金処理が実施される（例えば、特許文献１参照）。
【０００５】
この種の金銭処理システムでは、ＰＯＳレジスタ装置及び金銭処理装置のそれぞれにおいて、起動時に接続確立を行うための処理が実施されることになり、その後に入出金処理に関わる情報の送受信を行うようにしている。
【先行技術文献】
【特許文献】
【０００６】
【特許文献１】特開２００７−６６１８５号公報
【発明の概要】
【発明が解決しようとする課題】
【０００７】
ところで、上記のような金銭処理システムでは、ＰＯＳレジスタ装置から金銭処理装置に対して入金終了指令が与えられるまでの間、投入した金銭が保留庫に格納された状態となるため、例えば入金の取り消し操作が行われた場合、金銭の返却作業を容易に行うことが可能となる。すなわち、入金の取り消し操作が行われた場合には、保留庫に格納された金銭をそのまま外部に払い出せば、入金がなかった状態に復帰することができる。
【０００８】
しかしながら、金銭処理装置が入金保留状態となったまま、停電等の障害発生によってＰＯＳレジスタ装置が停止する事態が発生すると、再び接続確立処理を実施したとしても、そのままでは金銭処理システムにおいて入金処理を実施することができない状態となる。すなわち、停止状態にあったＰＯＳレジスタ装置では、リセットされて再起動するため、通常の起動時と同様の状態となるが、金銭処理装置にあっては、保留庫に金銭が格納された入金保留状態のままにあるため、ＰＯＳレジスタ装置との間において入金処理を実施することが困難となる。
【０００９】
このため、再び金銭処理装置を使って入金処理を実施するには、例えば金銭処理装置の電源を一旦落とす等して再起動させ、入金保留状態をリセットするとともに、保留庫に格納されている金銭を外部に払い出す操作が必要となり、操作が煩雑化するのは否めない。特に、多数のＰＯＳレジスタ装置及び金銭処理装置を取り扱う店舗においては、すべてに対して上述の操作が必要となる場合があり、作業が一層煩雑化することとなる。
【００１０】
本発明は、上記実情に鑑みて、金銭処理装置を再起動させる等、煩雑な作業を要することなく、ＰＯＳレジスタ装置が停止した後の入金処理を実施することのできる金銭処理システムを提供することを目的とする。
【課題を解決するための手段】
【００１１】
上記目的を達成するため、本発明に係る金銭処理システムは、接続確立処理を行った後に所定の入金処理に関わる情報の送受信を行う金銭処理装置とＰＯＳレジスタ装置とを備え、前記金銭処理装置は、ＰＯＳレジスタ装置から入金許可指令が与えられた後に金銭が投入された場合にこれを鑑別して正規の金銭を保留庫に一旦格納し、かつ前記保留庫に格納した金銭の額に応じた入金額情報を前記ＰＯＳレジスタ装置に返信して入金保留状態となり、その後、前記ＰＯＳレジスタ装置から入金終了指令が与えられた場合に入金保留状態を解除して前記保留庫に格納した金銭を収納庫に収納する入金処理を実施し、前記ＰＯＳレジスタ装置は、入金指示が操作入力された場合に金銭処理装置に入金許可指令を与えて応答待機状態となり、その後、前記金銭処理装置から入金額情報が与えられた場合に前記金銭処理装置に対して入金終了指令を送信するようにした金銭処理システムにおいて、ＰＯＳレジスタ装置は、接続確立処理において金銭処理装置が入金保留状態にあるか否かを判断し、入金保留状態にあった場合、前記金銭処理装置に対して入金返却指令を送信し、金銭処理装置は、ＰＯＳレジスタ装置から入金返却指令が与えられた場合、保留庫に格納してある金銭を外部に払い出して入金保留状態を解除することを特徴とする。
【発明の効果】
【００１２】
本発明によれば、ＰＯＳレジスタ装置が停止状態から再起動して接続確立処理を行った際に、金銭処理装置が入金保留状態にあった場合、ＰＯＳレジスタ装置から金銭処理装置に入金返却指令が与えられ、金銭処理装置の保留庫に格納してある金銭が外部に払い出されて入金保留状態が解除されることになる。従って、金銭処理装置を再起動させる等、煩雑な作業を要することなく、ＰＯＳレジスタ装置が再起動した後に入金処理を実施することが可能となる。
【図面の簡単な説明】
【００１３】
【図１】図１は、本発明の実施の形態である金銭処理システムに適用されるＰＯＳレジスタ装置及び金銭処理装置の外観構成を示す斜視図である。
【図２】図２は、図１に示した金銭処理装置の内部構成を概念的に示す平面図である。
【図３】図３は、図１に示した金銭処理装置の内部構成を概念的に示す側面図である。
【図４】図４は、図１に示したＰＯＳレジスタ装置及び金銭処理装置の制御系を示すブロック図である。
【図５】図５は、図４に示したＰＯＳレジスタ装置のレジスタ制御手段が繰り返し実施するメイン処理の内容を示すフローチャートである。
【図６】図６は、図４に示したＰＯＳレジスタ装置のレジスタ制御手段と自動釣銭機の制御手段との間で実施される釣銭モード処理の詳細内容を示すフローチャートである。
【図７】図７は、図４に示したＰＯＳレジスタ装置のレジスタ制御手段が実施する接続確立処理の詳細内容を示すフローチャートである。
【発明を実施するための形態】
【００１４】
以下に添付図面を参照して、本発明に係る金銭処理システムの好適な実施の形態について詳細に説明する。
【００１５】
図１は、本発明の実施の形態である金銭処理システムを示したものである。ここで例示する金銭処理システムは、ＰＯＳレジスタ装置１０と、自動釣銭機２０として用いられる金銭処理装置とを備えて構成し、スーパーマーケットやコンビニエンスストア等の店舗において以下に記載するような金銭の入金処理を行うものである。
【００１６】
（ＰＯＳレジスタ装置の外観構造）
ＰＯＳレジスタ装置１０は、図１に示すように、装置本体１１の上面に入力手段１２及び表示手段１３を備えている。入力手段１２は、商品情報の入力や自動釣銭機２０に対する指令の入力を行うもので、テンキーや各種機能キーを備えて構成してある。表示手段１３は、操作者に対して各種情報を表示するためのもので、比較的大型の液晶表示器によって構成してある。
【００１７】
（自動釣銭機の構造）
自動釣銭機２０は、図１〜図３に示すように、直方体状を成す装置本体２１の前端部に硬貨投入口２２、硬貨出金口２３、紙幣投入口２４、紙幣出金口２５を備えている。
【００１８】
硬貨投入口２２は、投入された硬貨を装置本体２１の内部に受け入れるための開口であり、装置本体２１の上面に形成してある。硬貨投入口２２に投入された硬貨は、図示せぬ投入検出センサによって検出された後、図２に示すように、硬貨収納部２６の硬貨搬送機構２７によって搬送される。搬送された硬貨は、硬貨鑑別センサ２８によって鑑別された後、一時保留庫２９に一旦収容され、さらにその後に金種に応じた硬貨収納庫３０に収納されることになる（図２中の実線矢印Ａ）。本実施の形態では、装置本体２１の内部に１円硬貨収納庫３０ａ、５０円硬貨収納庫３０ｂ、５円硬貨収納庫３０ｃ、１００円硬貨収納庫３０ｄ、１０円硬貨収納庫３０ｅ、５００円硬貨収納庫３０ｆが設けてあり、硬貨保留庫２９を経由した後の硬貨を金種ごとに個別に収納するようにしている。硬貨保留庫２９に関しては、装置本体２１の内部に唯一設けてあり、すべての金種の硬貨で共用するようにしている。硬貨出金口２３は、それぞれの硬貨収納庫３０から搬出された硬貨を装置本体２１の外部に払い出すための開口であり、装置本体２１の前面に形成してある。硬貨鑑別センサ２８において正規の硬貨でないと判断されたリジェクト硬貨は、図中の破線矢印Ｂで示すように、硬貨出金口２３を介して受け皿３１Ａに排出されることになる。また、硬貨が一時保留庫２９に保留されている状態において後述する返却終了指令が与えられた場合には、図中の二点鎖線矢印Ｃで示すように、一時保留庫２９から硬貨返却口３１Ｂに払い出されることになる。
【００１９】
紙幣投入口２４は、投入された紙幣を装置本体２１の内部に受け入れるための開口であり、装置本体２１の前面上部に設けてある。紙幣投入口２４に投入された紙幣は、図示せぬ投入検出センサによって検出された後、図３に示すように、紙幣収納部３１の紙幣搬送機構３２によって搬送される。搬送された紙幣は、紙幣鑑別センサ３３によって鑑別された後、紙幣保留庫３４を経由して金種に応じた紙幣収納庫３５に収納されることになる。本実施の形態では、装置本体２１の内部に予備紙幣収納庫３５ａ、１０００円紙幣収納庫３５ｂ、混合紙幣収納庫３５ｃが設けてあり、投入された紙幣を１０００円札、５０００円札及びその他の紙幣の３種類に分別して収納するようにしている。紙幣保留庫３４に関しては、それぞれの紙幣収納庫３５の内部において上流側となる部分に分割構成してある。紙幣出金口２５は、紙幣収納庫３５から搬出された紙幣を装置本体２１の外部に払い出すための開口であり、装置本体２１の前面下部に設けてある。
【００２０】
また、装置本体２１の前方部には、図１に示すように、表示手段３６及び入力手段３７が設けてある。表示手段３６は、操作者に対して各種表示を行うためのもので、ＰＯＳレジスタ装置１０の表示手段１３に比較して小型の液晶表示器によって構成してある。入力手段３７は、操作者が各種指令を入力するためのもので、例えば複数の押ボタンスイッチによって構成してある。
【００２１】
（ＰＯＳレジスタ装置の制御系）
図４は、上述したＰＯＳレジスタ装置１０及び自動釣銭機２０の制御系を示すブロック図である。ＰＯＳレジスタ装置１０のレジスタ制御手段４０は、起動スイッチ５０や入力手段１２の操作により指令が与えられた場合、あるいは通信インターフェース５１を通じて自動釣銭機２０から各種情報が与えられた場合、メモリ５２に格納したプログラムや初期データに基づいて表示手段１３の表示制御を行い、かつ通信インターフェース５１を通じて自動釣銭機２０に各種指令を与えることにより、自動釣銭機２０の動作制御を行うものである。このレジスタ制御手段４０は、通信制御部４１、入力制御部４２、出力制御部４３、演算部４４、入出金制御部４５、保留制御部４６を有している。
【００２２】
通信制御部４１は、通信インターフェース５１を介して接続された自動釣銭機２０の通信制御部５３との間において接続確立処理を行うことにより、自動釣銭機２０との間において入出金処理に関わる情報の送受信制御を行うものである。入力制御部４２は、入力手段１２が操作された場合にこれに対応する指令を各部に与えるものである。出力制御部４３は、表示指令を与えることによって表示手段１３に所望の表示を行う等、表示手段１３に対する表示制御を行うものである。演算部４４は、入力手段１２を通じて商品の金額情報が与えられた場合にこれを順次加算し、合計金額を算出する処理を行うものである。
【００２３】
入出金制御部４５は、自動釣銭機２０との間において入出金処理に関する情報を送受信することにより、自動釣銭機２０に入金処理及び出金処理を実施させるものである。より詳細に説明すると、入出金制御部４５は、演算部４４から合計金額情報が与えられると、この合計金額情報に応じた入金許可指令を自動釣銭機２０に対して送信する処理を行う。その後、演算部４４の算出した合計金額以上の入金額情報が自動釣銭機２０から与えられると、これに対応して自動釣銭機２０に入金終了指令を与え、さらに釣銭の出金が必要な場合、自動釣銭機２０に対して出金指令を送信する処理を行う。
【００２４】
保留制御部４６は、通信制御部４１が自動釣銭機２０との間において接続確立処理を行う場合、自動釣銭機２０が入金保留状態にあるか否かを判断し、入金保留状態にあった場合、自動釣銭機２０に対して返却終了指令を与えるものである。
【００２５】
（自動釣銭機の制御系）
自動釣銭機２０の制御手段は、入力手段３７を通じて指令が与えられた場合、あるいは硬貨鑑別センサ２８、紙幣鑑別センサ３３から検出信号が与えられた場合、さらには上位装置であるＰＯＳレジスタ装置１０から各種指令が与えられた場合、メモリ５４に格納したプログラムや初期データに基づいて表示手段３６の表示制御、硬貨搬送機構２７の駆動制御、紙幣搬送機構３２の駆動制御を行うものである。図４からも明らかなように、自動釣銭機２０の制御手段６０は、通信制御部６１、入力制御部６２、出力制御部６３、搬送制御部６４、入出金処理部６５、返却終了処理部６６を有している。
【００２６】
通信制御部６１は、通信インターフェース５３を介して接続されたＰＯＳレジスタ装置１０の通信制御部４１からの要求に従って接続確立処理を行うことにより、ＰＯＳレジスタ装置１０との間において入出金処理に関わる情報の送受信制御を行うものである。入力制御部６２は、入力手段３７が操作された場合にこれに対応する指令を各部に与えるものである。出力制御部６３は、表示指令を与えることによって表示手段３６に所望の表示を行う等、表示手段３６に対する表示制御を行うものである。搬送制御部６４は、搬送指令が与えられた場合に、この搬送指令に従って硬貨搬送機構２７、紙幣搬送機構３２の駆動を制御するものである。
【００２７】
入出金処理部６５は、ＰＯＳレジスタ装置１０から入力許可指令が与えられた後に貨幣が投入された場合に、入金許可指令に従って貨幣の入金処理を行い、かつＰＯＳレジスタ装置１０から出金指令が与えられた場合に、出金指令に従って貨幣の出金処理を行うものである。
【００２８】
返却終了処理部６６は、ＰＯＳレジスタ装置１０から入金返却指令が与えられた場合、硬貨保留庫２９や紙幣保留庫３４に格納してある金銭を硬貨返却口３１Ｂや紙幣出金口２５から装置本体２１の外部に払い出す処理を行うものである。
【００２９】
（処理の内容）
図５は、ＰＯＳレジスタ装置１０のレジスタ制御手段４０が繰り返し実施するメイン処理の内容を示したフローチャートであり、図６は、ＰＯＳレジスタ装置１０のレジスタ制御手段４０と自動釣銭機２０の制御手段６０との間で実施される釣銭モード処理の詳細内容を示すフローチャートである。以下、これらのフローチャートを参照しながら、ＰＯＳレジスタ装置１０及び自動釣銭機２０の動作について説明する。
【００３０】
図５に示すメイン処理では、ＰＯＳレジスタ装置１０において起動スイッチ５０がＯＮされると、レジスタ制御手段４０の通信制御部４１により、自動釣銭機２０の通信制御部６１との間において接続確立処理が行われる（ステップＳ１０）。自動釣銭機２０との間において接続が確立すると、入出金処理に関する情報の送受信が可能となり、自動釣銭機２０との間で釣銭モード処理（入金処理及び出金処理）が繰り返し行われることになる（ステップＳ１００）。
【００３１】
釣銭モード処理においては、まず、図６の（ａ）に示すように、ＰＯＳレジスタ装置１０が入力手段１２からの入力待機状態にあり（ステップＳ１０１）、購入商品の金額情報が入力されると（ステップＳ１０１：ＹＥＳ）、演算部４４によって入力金額を順次加算する処理が行われる（ステップＳ１０２）。すべての金額情報の入力が終了し、合計金額が演算された後に入力手段１２を通じて入力終了指令が入力されると（ステップＳ１０３：ＹＥＳ）、レジスタ制御手段４０は、通信制御部４１を通じて自動釣銭機２０に合計金額に対応した入金許可指令を送信し（ステップＳ１０４、ステップＳ１０５）、その後、自動釣銭機２０に入金額要求を送信し（ステップＳ１０６）、応答待ちとなる（ステップＳ１０７）。
【００３２】
一方、図６の（ｂ）に示すように、起動スイッチ５５がＯＮされた自動釣銭機２０では、通信制御部６１を通じてＰＯＳレジスタ装置１０からの入金許可指令を監視した状態にある（ステップＳ２０１）。
【００３３】
この状態において、ＰＯＳレジスタ装置１０から入金許可指令が与えられると（ステップＳ２０１：ＹＥＳ）、制御手段６０は、入出金処理部６５を通じて自動釣銭機２０を入金許可状態に設定し（ステップＳ２０２）、その後、図示せぬ投入検出センサを通じて硬貨投入口２２及び紙幣投入口２４に対する入金の監視を行う（ステップＳ２０３）。入金を検出しなかった場合（ステップＳ２０３：ＮＯ）、制御手段６０の入出金処理部６５は、後述するステップＳ２０４〜ステップＳ２０７の処理を経ることなく手順をステップＳ２０８に進める。
【００３４】
これに対して硬貨投入口２２もしくは紙幣投入口２４からの入金を確認した場合（ステップＳ２０３：ＹＥＳ）、制御手段６０は、硬貨鑑別センサ２８もしくは紙幣鑑別センサ３３を介して貨幣の鑑別を行い（ステップＳ２０４）、正規の貨幣を一旦硬貨保留庫２９や紙幣保留庫３４に格納する処理を行う（ステップＳ２０５）。貨幣を硬貨保留庫２９や紙幣保留庫３４に格納した制御手段６０は、ＰＯＳレジスタ装置１０から入金額の要求があるか否かを判断し（ステップＳ２０６）、入金額要求を受信した場合（ステップＳ２０６：ＹＥＳ）、入金額に対応した入金額情報をＰＯＳレジスタ装置１０に送信する（ステップＳ２０７）。入金額要求がない場合（ステップＳ２０６：ＮＯ）、制御手段６０は、ステップＳ２０７を実施することなく手順を進める。その後、制御手段６０は、ＰＯＳレジスタ装置１０から入金終了指令があったか否かを判断する（ステップＳ２０８）。入金終了指令がなかった場合（ステップＳ２０８：ＮＯ）、自動釣銭機２０の制御手段６０は、手順をステップＳ２０３にリターンさせて上述したステップＳ２０３〜ステップＳ２０８の処理を繰り返し実行する。
【００３５】
図６の（ａ）のステップＳ１０７において自動釣銭機２０から入金額情報を受信したＰＯＳレジスタ装置１０のレジスタ制御手段４０は（ステップＳ１０７：ＹＥＳ）、入金終了操作があったか否かを判断し（ステップＳ１０８）、入金終了操作があった場合（ステップＳ１０８：ＹＥＳ）、入金額情報によって特定される入金額が購入商品の合計金額以上である場合（ステップＳ１０９：ＹＥＳ）、自動釣銭機２０に対して入金終了指令を送信し（ステップＳ１１０）、その後、自動釣銭機２０からの応答待ちとなる（ステップＳ１１１）。
【００３６】
ここで、ＰＯＳレジスタ装置１０のレジスタ制御手段４０から送信される入金終了指令には、釣銭あり終了指令、釣銭なし終了指令及び返却終了指令の３種類がある。すなわち、ステップＳ１０９において入金額が合計金額よりも大きい場合、レジスタ制御手段４０は、ステップＳ１１０において自動釣銭機２０に対し釣銭あり終了指令を送信する。これに対して入金額と合計金額とが一致した場合には、ステップＳ１１０において自動釣銭機２０に対し釣銭なし終了指令を送信する。一方、ＰＯＳレジスタ装置１０においてキャンセル操作が入力された場合、レジスタ制御手段４０は、ステップＳ１１０において自動釣銭機２０に対し返却終了指令を送信する。
【００３７】
図６の（ｂ）のステップＳ２０８において入金終了指令が与えられた自動釣銭機２０の制御手段６０は（ステップＳ２０８：ＹＥＳ）、自動釣銭機２０を入金禁止状態に設定し（ステップＳ２０９）、その後、ステップＳ２０８で受信した入金終了指令が上述した３種類のいずれであったのかを判断する（ステップＳ２１０→ステップＳ２１１→ステップＳ２１２）。
【００３８】
入金終了指令が釣銭なし終了指令であった場合（ステップＳ２１０：ＹＥＳ）、制御手段６０は、搬送制御部６４を通じて硬貨保留庫２９や紙幣保留庫３４に格納した貨幣を金種に対応する硬貨収納庫３０や紙幣収納庫３５に搬送する処理を行い（ステップＳ２１３）、ＰＯＳレジスタ装置１０に対して入金終了指令応答を送信した後（ステップＳ２１４）、ＰＯＳレジスタ装置１０から出金指令があるか否かを監視する（ステップＳ２１５）。
【００３９】
これに対して入金終了指令が釣銭あり終了指令であった場合（ステップＳ２１０：ＮＯ→ステップＳ２１１：ＹＥＳ）、制御手段６０は、ステップＳ２１３の処理を実施することなく手順をステップＳ２１４に進め、ＰＯＳレジスタ装置１０に対して入金終了応答を送信した後（ステップＳ２１４）、ＰＯＳレジスタ装置１０から出金指令があるか否かを監視する（ステップＳ２１５）。
【００４０】
一方、入金終了指令が返却終了指令であった場合（ステップＳ２１０：ＮＯ→ステップＳ２１１：ＮＯ）、制御手段６０は、返却終了処理部６６を通じて硬貨保留庫２９や紙幣保留庫３４の払出処理を実施する（ステップＳ２１２）。具体的には、自動釣銭機２０の制御手段６０により、返却終了処理部６６を通じて硬貨搬送機構２７もしくは紙幣搬送機構３２が駆動し、硬貨保留庫２９や紙幣保留庫３４に格納されていた貨幣が硬貨返却口３１Ｂや紙幣出金口２５から装置本体２１の外部に払い出されることになる。これにより、ＰＯＳレジスタ装置１０からキャンセル操作が入力された場合には、入金した後であっても、入金された貨幣を返却することができるようになる。硬貨保留庫２９や紙幣保留庫３４の払出処理を実施した制御手段６０は、ステップＳ２１３の処理を実施することなく手順をステップＳ２１４に進め、ＰＯＳレジスタ装置１０に対して入金終了応答を送信した後（ステップＳ２１４）、ＰＯＳレジスタ装置１０から出金指令があるか否かを監視する（ステップＳ２１５）。
【００４１】
この間、図６の（ａ）のステップＳ１１１において自動釣銭機２０から入金終了応答を受信したレジスタ制御手段４０は（ステップＳ１１１：ＹＥＳ）、釣銭があるか否かを判断し（ステップＳ１１２）、釣銭がある場合（ステップＳ１１２：ＹＥＳ）、自動釣銭機２０に出金指令を送信し（ステップＳ１１３）、今回の釣銭モード処理を終了する。尚、釣銭がない場合、レジスタ制御手段４０は、ステップＳ１１３の処理を実施することなく、今回の釣銭モード処理を終了する（ステップＳ１１２：ＮＯ）。
【００４２】
図６の（ｂ）のステップＳ２１５においてＰＯＳレジスタ装置１０から出金指令が与えられた場合（ステップＳ２１５：ＹＥＳ）、自動釣銭機２０の制御手段６０は、搬送制御部６４を通じて硬貨収納庫３０や紙幣収納庫３５に収納された貨幣を釣銭として硬貨出金口２３もしくは紙幣出金口２５から払い出す処理を実施し（ステップＳ２１６）、その後、ステップＳ２０８で受信した入金終了指令が釣銭あり終了であった場合（ステップＳ２１７：ＹＥＳ）、搬送制御部６４を通じて硬貨保留庫２９や紙幣保留庫３４に格納した貨幣を金種に対応する硬貨収納庫３０や紙幣収納庫３５に搬送する処理を行い（ステップＳ２１８）、今回の釣銭モード処理を終了する。尚、ＰＯＳレジスタ装置１０から出金指令が与えられなかった場合（ステップＳ２１５：ＮＯ）、自動釣銭機２０の制御手段６０は、ステップＳ２１６〜ステップＳ２１８の処理を経ることなく今回の釣銭モード処理を終了する。
【００４３】
上述した状況は、例えば、ＰＯＳレジスタ装置１０において操作者（レジ担当者）による購入商品の登録が終了し、その合計金額以上の貨幣を商品購入者から預かった操作者がこれを自動釣銭機２０に投入した場面であり、購入商品の登録が終了した後にＰＯＳレジスタ装置１０から自動釣銭機２０の制御手段６０に対して入金許可指令が与えられる。一方、貨幣が投入された自動釣銭機２０からＰＯＳレジスタ装置１０に入金額情報が送信されると、ＰＯＳレジスタ装置１０において（釣銭）＝（入金額）−（購入合計金額）が算出され、釣銭がある場合には釣銭に対応した出金指令が入金終了指令の後に自動釣銭機２０に出力される。出金指令が与えられた自動釣銭機２０では、釣銭に相当する貨幣が硬貨出金口２３もしくは紙幣出金口２５から払い出され、ＰＯＳレジスタ装置１０から出力されたレシートとともにこの釣銭が商品購入者に手渡される。
【００４４】
以降、この金銭処理システムにおいては、上述した釣銭モード処理が繰り返し実施され、自動釣銭機２０において貨幣が入出金されることになる。
【００４５】
１日の営業が終了し、釣銭モード処理を終了すると、図５に示すように、ＰＯＳレジスタ装置１０のレジスタ制御手段４０によって自動釣銭機２０との間の接続開放処理が実施され（ステップＳ３００）、ＰＯＳレジスタ装置１０及び自動釣銭機２０の電源がＯＦＦされる。
【００４６】
ここで、上記のように接続開放処理が実施された後であれば、再び起動スイッチ５０，５５をＯＮすることで、図５に示したメイン処理が実行され、ＰＯＳレジスタ装置１０及び自動釣銭機２０の間で釣銭モード処理を実施することが可能となる。
【００４７】
しかしながら、自動釣銭機２０が図６の（ｂ）のステップＳ２０８においてＰＯＳレジスタ装置１０からの入金終了指令の受信待ちの状態となったまま、停電等の障害発生によってＰＯＳレジスタ装置１０が停止する事態が発生すると、自動釣銭機２０においては、硬貨保留庫２９や紙幣保留庫３４に貨幣が格納されたままとなるため、再びＰＯＳレジスタ装置１０が起動したとしても入金処理を実施することが困難となる。
【００４８】
このため、上述した金銭処理システムでは、ＰＯＳレジスタ装置１０のレジスタ制御手段４０が実施する接続確立処理において自動釣銭機２０の硬貨保留庫２９や紙幣保留庫３４に貨幣が格納されている場合、これを払い出すことによって入出金処理を実施できるようにしている。
【００４９】
図７は、ＰＯＳレジスタ装置１０のレジスタ制御手段４０が実施する接続確立処理の詳細内容を示すフローチャートである。図７に示す接続確立処理においてＰＯＳレジスタ装置１０のレジスタ制御手段４０は、自動釣銭機２０のＩＤを読み出し（ステップＳ１１）、このＩＤが該当する自動釣銭機２０のものであるか否かを判断する（ステップＳ１２）。尚、接続を取り違える等の操作ミスにより、読み出したＩＤが該当する自動釣銭機２０のものでなかった場合（ステップＳ１２：ＮＯ）、レジスタ制御手段４０は、直ちに異常終了して今回の接続確立処理を中断する。
【００５０】
一方、読み出したＩＤが該当する自動釣銭機２０のものであった場合（ステップＳ１２：ＹＥＳ）、レジスタ制御手段４０は、次に、保留制御部４６を通じて自動釣銭機２０の状態を読み出し（ステップＳ１３）、読み出した自動釣銭機２０の状態が入金保留状態であるか否かを判断する（ステップＳ１４）。
【００５１】
ＰＯＳレジスタ装置１０のレジスタ制御手段４０は、ステップＳ１４において自動釣銭機２０が入金保留状態にあると判断した場合（ステップＳ１４：ＹＥＳ）、保留制御部４６を通じ、自動釣銭機２０に対して返却終了指令を送信する処理を行うようにしている（ステップＳ１５）。
【００５２】
ＰＯＳレジスタ装置１０から返却終了指令を受信した自動釣銭機２０は、当該ＰＯＳレジスタ装置１０が停止している間、ＰＯＳレジスタ装置１０からの入金終了指令を監視した状態にある（ステップＳ２０８）。従って、ＰＯＳレジスタ装置１０から返却終了指令を受信した場合、自動釣銭機２０においては、ステップＳ２０８において手順がステップＳ２０９以降に進み、ステップＳ２０８で受信した入金終了指令の種類に応じた処理が実施されることになる（ステップＳ２１０→ステップＳ２１１→ステップＳ２１２）。つまり、返却終了指令を受信した自動釣銭機２０においては、制御手段６０により、返却終了処理部６６を通じて硬貨保留庫２９や紙幣保留庫３４の払出処理が行われる。この結果、自動釣銭機２０が起動スイッチ５３によって起動した場合と同等の状態となり、再起動させる等の煩雑な作業を要することなく、ＰＯＳレジスタ装置１０との間において釣銭モード処理を実施することができるようになる。
【００５３】
尚、上述した実施の形態では、硬貨及び紙幣を取り扱う金銭処理装置を適用した金銭処理システムを例示しているが、硬貨及び紙幣のいずれか一方を取り扱うものにももちろん適用することは可能である。
【符号の説明】
【００５４】
１０      ＰＯＳレジスタ装置
２０      自動釣銭機
２７      硬貨搬送機構
２９      硬貨保留庫
３０      硬貨収納庫
３２      紙幣搬送機構
３４      紙幣保留庫
３５      紙幣収納庫
４０      レジスタ制御手段
４３      出力制御部
４４      演算部
４５      入出金制御部
４６      保留制御部
６０      制御手段
６５      入出金処理部
６６      返却終了処理部
【図１】
0005397116.tif 000002
【図２】
0005397116.tif 000003
【図３】
0005397116.tif 000004
【図４】
0005397116.tif 000005
【図５】
0005397116.tif 000006
【図６】
0005397116.tif 000007
【図７】
0005397116.tif 000008